(57)【特許請求の範囲】
【請求項１】
試験信号内の複数のパケットから振幅ノイズを適用する少なくとも１つのパケットを選択可能にする処理（ａ１）及び上記振幅ノイズを適用する上記試験信号内の連続するシンボルの範囲を選択可能にする処理（ａ２）のどちらか１つを選択的に用いて、上記振幅ノイズを加える上記試験信号のセグメントを選択するステップ（ａ）と、
上記振幅ノイズのパワー・レベルを選択するステップ（ｂ）と、
上記振幅ノイズを上記選択されたパワー・レベルで上記試験信号の上記選択されたセグメントに適用するステップ（ｃ）と
を具え、
上記ステップ（ａ）、（ｂ）及び（ｃ）はユーザ・インタフェースを有する信号生成装置を用いて実現され、上記ユーザ・インタフェースは、ユーザによってアクティブにされる上記試験信号の上記セグメント及び上記パワー・レベルを表す要素を表示することを特徴とする試験信号に振幅ノイズを加える方法。
【請求項２】
上記処理（ａ１）が選択された場合に上記ステップ（ａ）が、複数の上記パッケットの中から予め規定されたプリアンブル、ＰＬＣＰヘッダ及びペイロード・パケットのいずれかを選択するステップを更に有することを特徴とする請求項１記載の試験信号に振幅ノイズを加える方法。
【請求項３】
試験信号内の複数のパケットから振幅ノイズを適用する少なくとも１つのパケットを選択可能にする処理（ａ１）と上記振幅ノイズを適用する上記試験信号内の連続するシンボルの範囲を選択可能にする処理（ａ２）のどちらか１つを選択的に用いて、上記振幅ノイズを加える上記試験信号のセグメントを選択すると共に、上記振幅ノイズのパワー・レベルを選択するためのユーザ・インターフェイスと、
上記振幅ノイズを選択された上記パワー・レベルで上記試験信号の選択された上記セグメントに適用した上記試験信号を表すデジタル・データを生成する信号処理ユニットと、
上記デジタル・データを受けて、上記試験信号の選択された上記セグメントに上記振幅ノイズを有する試験信号出力を生成する波形生成部と
を具える信号生成装置。
【請求項４】
上記ユーザ・インターフェイスが、選択可能なパケット及びシンボル表示要素を更に有することを特徴とする請求項３記載の信号生成装置。
【請求項５】
上記パケット表示要素が選択されると、上記試験信号の予め定義された選択可能な複数のパケット・セグメントをアクティブにして、予め定義された上記パケット・セグメントを選択可能にする共に、上記パケット・セグメントの夫々が選択された上記パケット・セグメントの上記振幅ノイズの上記パワー・レベルを選択するための選択可能なパワー・レベル・ボックスを有することを特徴とする請求項４記載の信号生成装置。
【請求項６】
上記シンボル表示要素が選択されると、最初及び最後のシンボル番号を選択するためのシンボル・ボックスと、上記選択されたセグメントの上記振幅ノイズの上記パワー・レベルを選択するための選択可能なパワー・レベル・ボックスとをアクティブにすることを特徴とする請求項４記載の信号生成装置。
【発明の詳細な説明】
【技術分野】
【０００１】
本発明は、試験信号の生成に関し、特に、信号生成装置が生成された試験信号の選択された複数の部分にノイズを加えるための信号生成装置とユーザ・インターフェイスに関する。
【背景技術】
【０００２】
被試験電気回路の動作をチェックするためには、その回路に試験信号を供給すれば良い。信号生成装置は、被試験電気回路動作をチェックするためのこうした試験信号を供給する装置である。信号生成装置は、ユーザの設定に応じて試験信号の設定を制御する手段を有している。電気回路からの出力信号は、オシロスコープなどの測定装置で観測される。
【０００３】
多くのメーカーが、試験信号を設定するためのユーザ・インターフェイスを供給している。一例としては、ローデ・シュワルツ社が製造販売するシミュレーション・ソフトウェア「ＷｉｎＩＱＳＩＭ（商標）」がある。このシミュレーション・ソフトウェアは、デジタル変調信号とその信号に障害を加えるためのユーザ・インターフェイスを提供する。このユーザ・インターフェイスは、図１に示すようなマルチ・キャリア・ブロック・ダイアグラムを提供するもので、複数のパラメータを定義する複数のブロックと、信号に障害を設定する複数のブロックとを有している。これらブロックの１つ、例えば、データ・ソース・ブロックをクリックすると、図２に示すようなデータ・ソース・ダイアグラム・ウィンドウが開き、ここでユーザはデータ・パラメータを定義できたり、データ・ファイルをインポートしたりできる。ユーザがデータ・ソースのパラメータをひとたび設定し、ユーザがＯＫボックスをクリックすれば、ダイアログ・ウィンドウは閉じる。図３に示すように変調設定（Modulation Settings）ブロックをクリックすると、図４に示すように変調ダイアログ・ウィンドウが開き、ここでユーザは信号の変調パラメータを設定できる。ＯＫボックスをクリックすれば、変調ダイアログ・ウィンドウは閉じる。図５に示すようにノイズ・ブロックをクリックし、ノイズを「ＯＮ」に設定すると、図６に示すようにノイズ・ダイアログ・ウィンドウが開き、ここでユーザは信号のノイズ・レベルを設定できる。ＯＫボックスをクリックすれば、ノイズ・ダイアログ・ウィンドウは閉じる。
【発明の開示】
【発明が解決しようとする課題】
【０００４】
上述のユーザ・インターフェイスの欠点としては、ノイズ障害が信号全体に適用されてしまい、信号の選択された一部分に適用するものでないことである。ここで信号の一部分とは、例えば、プリアンブル、ＰＬＣＰ（Physical Layer Convergence Protocol：物理レイヤ集中プロトコル）ヘッダ、ペイロード（Payload）、ＷｉＭｅｄｉａ  Ａｌｌｉａｎｃｅで定義されたＷｉＭｅｄｉａウルトラ・ワイド・バンド内の選択したシンボルなどである。ＷｉＭｅｄｉａウルトラ・ワイド・バンド内の選択した部分、例えば、プリアンブルをノイズの無い状態に維持すれば、ユーザは受信信号に加えたノイズの貢献度をより識別しやすくでき、よって、ユーザは変調とチャンネル等化のスキーム（scheme）を適切に設定できるようになる。
【０００５】
こうしたことから、ユーザが試験信号の選択した部分に、疑似ランダム・ノイズや付加的ホワイト・ガウス・ノイズ（AWGN：additive white Gaussian noise）などのノイズを加えることができるようにするための、信号生成装置で用いるユーザ・インターフェイスが必要である。そして、ユーザが信号中のノイズの位置を選択でき、生成するノイズのレベルを設定できるようにすべきである。
【課題を解決するための手段】
【０００６】
本発明は、信号生成装置及び試験信号に振幅ノイズを加える方法に関する。この信号生成装置は、試験信号のセグメント及びこれに係るパワー・レベルを選択するユーザ・インターフェイスを有し、これによって、その試験信号セグメントに選択されたパワー・レベルで振幅ノイズを適用するようにする。信号処理ユニットは、選択されたセグメントの選択されたパワー・レベルと試験信号とをコンパイルし、選択されたセグメントに振幅ノイズを有する試験信号を表すデジタル・データを生成する。波形生成手段は、このデジタル・データを受けて、試験信号の選択されたセグメントに振幅ノイズを有する試験信号出力を生成する。メモリは、選択されたセグメントに振幅ノイズを有する試験信号を表すコンパイルされたデジタル・データを記憶する。
【０００７】
ユーザ・インターフェイスには、パケット表示要素及びシンボル表示要素があり、パケット・ラジオ・ボタン表示要素を選択することで、試験信号の予め定義された選択可能なパケット・セグメントを、予め定義されたパケット・セグメントとその係る選択可能なパワー・レベル・ボックスとともにアクティブにする。予め定義されたパケット・セグメントの１つを、選択されたセグメント中の振幅ノイズの選択されたパワー・レベルとともに選択できるようにしても良い。シンボル・ラジオ・ボタン表示要素を選択すると、シンボル・ボックスとこれに係る選択可能なパワー・レベル・ボックスがアクティブになる。試験信号のセグメントの最初及び最後のシンボル番号を、選択されたセグメントの振幅ノイズの選択されたパワー・レベルとともに選択できるようにしても良い。
【０００８】
試験信号に振幅ノイズを加える方法は、次のステップを具えている。即ち、振幅ノイズを加える試験信号のセグメントを選択するステップと、振幅ノイズのパワー・レベルを選択するステップと、振幅ノイズを試験信号の選択されたセグメントに選択されたパワー・レベルで適用するステップである。試験信号セグメントを選択するステップには、試験信号内の複数のパケットから振幅ノイズを適用する少なくとも１つのパケットを選択するステップを設けても良い。パケット選択ステップには、複数のパケットから、予め定義されたプリアンブル、ＰＬＣＰ（Physical Layer Convergence Protocol）ヘッダ、ペイロード・パケットのいずれかを選択するステップを設けても良い。これらの代わりに、試験信号セグメントを選択するステップに、振幅ノイズを適用する試験信号内の連続するシンボルを選択するステップを設けるようにしても良い。適用ステップには、選択されたセグメントにおいて選択されたパワー・レベルの振幅ノイズを試験信号とともにコンパイルするステップがある。このコンパイル・ステップには、振幅ノイズに付加的ホワイト・ガウス・ノイズ（AWGN：additive white Gaussian noise）や疑似ランダム・ノイズ・パターンを生成するステップが含まれる。
【０００９】
本発明の目的、効果及び新規性は、以下の詳細な記述を特許請求の範囲及び図面とともに読むことによって明らかとなろう。
【発明を実施するための最良の形態】
【００１０】
図７は、米国オレゴン州ビーバートンのテクトロニクス社が製造販売するＡＷＧ７１０２型のような信号生成装置１０を示す。信号生成装置１０は、前面パネル１４のボタンやノブ１２のような前面パネル・コントローラを、液晶や陰極線管のような表示デバイス１６上に表示されるユーザ・インターフェイスとともに用いてユーザが定義した信号出力を生成する。信号生成装置１０は、波形データ、実行可能なプログラムなどを蓄積するためのＣＤやＤＶＤ／ＣＤドライブも有している。
【００１１】
図８は、ＡＷＧ７１０２型信号生成装置１０の機能ブロック図を示す。信号生成装置１０は、中央演算装置（ＣＰＵ）２０を有し、これは、ハードディスク・ドライブ（ＨＤＤ）２４に記憶されたプログラムに従って装置の動作を制御する。ＲＡＭの如きメモリ２２は、ＣＰＵ２０用の記憶デバイス２４から読み出されたプログラムのワーク領域として使用される。ユーザは、前面パネル１４上のボタン、ノブ等１２を介して信号生成装置の設定を行う。表示デバイス１６は、信号パターンとユーザ設定に関する情報を視覚化するためのユーザ・インターフェイスを提供する。外部表示出力回路２６はビデオ出力を供給し、これは外部表示デバイス２８に供給されて、信号生成装置内蔵の表示デバイス１６に加えて、更に広い表示領域を提供する。波形生成回路３０は、ユーザが定義したパラメータに基いて信号パターンを生成する。この例では、波形生成回路は、２チャンネル出力端子と、トリガ及びイベント信号入力端子を有している。入力／出力ポート３２は、外部キーボード３４、マウス３６のようなポインティング・デバイスなどを信号生成装置に接続するために使用される。外部キーボード３４やマウス３６の機能は、信号生成装置の前面パネル・コントローラの一部に含まれるようにしても良い。これらブロックは、信号及びデータ・バス３８で相互に接続される。信号生成装置のバス３８に、ＬＡＮ（Local Area Network）インターフェイス４０を設けても良く、これによってパソコン（ＰＣ）４２のような外部コントローラと接続しても良い。ＬＡＮインターフェイス４０によって、ＰＣ４２からネットワークを介して信号生成装置を制御できるようにするだけでなく、ＰＣ４２上で上述のユーザ・インターフェイスを動作させることができる。ＬＡＮインターフェイス４０の代わりに、ＧＰＩＢ（General Purpose Interface Bus）を用いても良い。
【００１２】
図９は、図１０に示すようなＭＢＯＡ（Multiband-OFDM Alliance）で定義されたＷｉＭｅｄｉａウルトラ・ワイド・バンド信号のような試験信号の複数のセグメントに、ユーザが特定するパワー・レベルの振幅ノイズを設定するためのゲート・ノイズ・ユーザ・インターフェイス５０を示す。図１０は、信号の振幅ノイズを何も加えていないＷｉＭｅｄｉａウルトラ・ワイド・バンド信号を示す。ゲート・ノイズ・ユーザ・インターフェイス５０は、ＨＤＤ２４に記憶されたユーザ・インターフェイス・プログラムを用いて、ＣＰＵ２０によるプログラム制御で動作する。ゲート・ノイズ・ユーザ・インターフェイス５０は、表示デバイス１６又は外部表示デバイス２８上に表示しても良い。または、ゲート・ノイズ・ユーザ・インターフェイスのプログラムを記憶しておいて、ＰＣ４２からアクセスするようにしても良い。ゲート・ノイズ・ユーザ・インターフェイス５０は、図１１に示すような信号定義ユーザ・インターフェイス８０内からアクティブにされるのが好ましい。これについては、後述する。データ入力操作の実行は、信号生成装置１０の前面パネル・コントローラ１２を用いるか、信号生成装置１０に接続されたキーボード３４及びマウス３６を用いて行われる。ゲート・ノイズ・ユーザ・インターフェイス５０には「Turn on（作動）」チェック・ボックス５２が有り、これをクリックするとゲート・ノイズ・ユーザ・インターフェイス５０がアクティブになる。ユーザは、「Packets（パケット）」ラジオ・ボタン表示要素５４をクリックすることで、プリアンブル、ＰＬＣＰ（Physical Layer Convergence Protocol）ヘッダやペイロードのようなＷｉＭｅｄｉａウルトラ・ワイド・バンド信号パケットの予め定めたセグメントに、振幅パワー・ノイズ、好ましくは、付加的ホワイト・ガウス・ノイズ（AWGN：additive white Gaussian noise）や疑似ランダム・ノイズ・パターンなどを加えることができる。また、「Symbols（シンボル）」ラジオ・ボタン表示要素５６をクリックすることで、パケット内の選択したシンボルに振幅パワー・ノイズを加えることができる。チェック・ボックス、ラジオ・ボタン、アイコンなどは、ゲート・ノイズ・ユーザ・インターフェイス５０及び信号定義ユーザ・インターフェイス８０の表示要素である。
【００１３】
もしユーザが「Packets」を選択すると、ユーザは信号の各セグメントに対応する適切なチェック・ボックス５８、６０及び６２をクリックすることで、ＷｉＭｅｄｉａウルトラ・ワイド・バンド試験信号の１つ又は複数のセグメントを選択するオプションを選んだことになる。各セグメントには、パワー・レベル・データ・ボックス６４、６６及び６８があり、ユーザは試験信号の選択したセグメントに振幅ノイズのパワー・レベルを設定できる。例として、プリアンブルに−１０ｄＢのノイズを加える場合を考える。ユーザは、プリアンブルに係るチェック・ボックス５８をクリックし、プリアンブルに係るパワー・レベル・データ・ボックス６４に−１０ｄＢを入力する。パワー・レベル・データ・ボックス６４、６６及び６８の夫々には、アップ／ダウン矢印があり、これらをクリックしてユーザはノイズのパワー・レベルを加減できる。図１２に示すように、出力として得られる試験信号には、試験信号の各パケットのプリアンブルに規定した量の振幅ノイズが適用される。
【００１４】
別の例としては、ユーザがＰＬＣＰヘッダに−１０ｄＢの振幅パワー・ノイズを加えようとする場合を考える。ユーザは、ＰＬＣＰヘッダに係るチェック・ボックス６０をクリックし、ＰＬＣＰヘッダに係るパワー・レベル・データ・ボックス６６に−１０ｄＢを入力する。図１３に示すように、出力として得られる試験信号には、試験信号の各パケットのＰＬＣＰヘッダに規定した量の振幅ノイズが適用される。
【００１５】
もしユーザが「Symbols」を選択すると、ＷｉＭｅｄｉａウルトラ・ワイド・バンド試験信号中のどのシンボルで振幅パワー・ノイズを受けるかを設定するオプションを選んだことになる。「Symbols」のエリアには、２つのシンボル・データ・ボックス７０及び７２があり、これらにユーザは最初と最後のシンボル番号を入力できる。シンボル・データ・ボックス７０及び７２の夫々にはアップ／ダウン矢印があり、これらをクリックしてユーザはシンボル番号を加減できる。また、パワー・レベル・データ・ボックス７４があり、ユーザはこの中に選択したシンボルの振幅パワー・ノイズを設定できる。他のパワー・レベル・データ・ボックスのように、パワー・レベル・データ・ボックス７４にはアップ／ダウン矢印があり、これをクリックしてユーザはノイズの振幅パワー・レベルを加減できる。ユーザが試験信号にゲート・ノイズを設定したとき、ユーザはコンパイル・ボタン７６をクリックして、試験信号に対して選択的にゲートされたノイズとともに試験信号をコンパイルしても良い。
【００１６】
ゲート・ノイズ・ユーザ・インターフェイス５０は、図１１に示すように、ユーザがＷｉＭｅｄｉａウルトラ・ワイド・バンド信号のパラメータ及びデータ値を設定する信号定義ユーザ・インターフェイス８０に組み込まれているのが望ましい。ユーザ・インターフェイス８０には、パケット・グループを定義するPacket Groupsエリア８２と、ＰＰＤＵ（Presentation Protocol Data Unit）を定義するPPDUs in Groupエリア８４とがある。各ＰＰＤＵは、ＵＷＢ信号のフレーム・ストラクチャ・インターフェイス８６に連携している。フレーム・ストラクチャ８６により、信号生成装置１０の前面パネル・コントローラ１２や、信号生成装置１０に接続されたキーボード３４及びマウス３６を用いて、ユーザがＰＰＤＵの設定を定義できる。ユーザ・インターフェイス８０には、ＷｉＭｅｄｉａウルトラ・ワイド・バンド信号の動作モードを設定するために、２つのモード・ラジオ・ボタン８８及び９０がある。１つのモードは適合性試験用で、他方はＷｉＭｅｄｉａウルトラ・ワイド・バンド信号のパラメータをカスタマイズできるようにするものである。適合性試験では、ＵＷＢ信号のパラメータは、長さ、スクランブラ初期状態（scrambler init）、バースト・モード、プリアンブルの形式など、プルダウンのオプションで提供されるものは別として、規格で定義された固定のものである。カスタム・モードでは、パラメータは編集可能で、ユーザが変更できる。
【００１７】
フレーム・ストラクチャ８６は、ＷｉＭｅｄｉａウルトラ・ワイド・バンド信号の規格で定められたＰＬＣＰプリアンブル・ボックス９２、ＰＬＣＰヘッダ・ボックス９４及びＰＳＵＤ（Physical layer Service Data Unit）ボックス９６のようなＰＰＤＵの要素を表示する。これらボックス９２、９４及び９６の夫々には、小さな「±」ボックス９８、１００及び１０２があり、これらをクリックすると、コンポーネント・ボックス１０４、１０６及び１０８で示されるＰＬＣＰプリアンブル、ＰＬＣＰヘッダ及びＰＳＤＵ夫々のコンポーネントが表示される。ＰＬＣＰヘッダ・ボックス及びＰＳＤＵボックスの夫々には、更にクリックしてオン又はオフされるチェック・ボックス１１０及び１１２がある。チェック・ボックス１１０及び１１２をクリックしてオフにされると、夫々に対応するＰＬＣＰヘッダ又はＰＳＤＵがＷｉＭｅｄｉａウルトラ・ワイド・バンド信号中に供給されないようになる。ＰＬＣＰプリアンブル、ＰＬＣＰヘッダ及びＰＳＤＵの選択されたコンポーネント・ボックスにも「±」ボックスがあり、これらによってユーザはそのコンポーネントに関係する詳細な設定項目を表示できる。
【００１８】
ユーザは、最初に適合性モード又はカスタム・モードを選択し、試験信号を組み立てる。どちらのモードでも、ユーザは、「PPDU s in Group」エリア８４の表示ボックス内の名前（Name）列中にＰＰＤＵ名を割り当ててＰＰＤＵを定義する。名前列には、対応するインデックス列があり、これはＰＰＤＵ名にインデックス値を与える。そこでユーザは、フレーム・ストラクチャ８６を用いて、名付けたＰＰＤＵにパラメータを設定する。適合性モードでは、コンポーネントに係るプルダウン・メニューで提供されるパラメータの変更について、ＷｉＭｅｄｉａウルトラ・ワイド・バンド信号規格で許容される範囲にユーザは制限を受ける。カスタム・モードでは、ＷｉＭｅｄｉａウルトラ・ワイド・バンド信号規格の範囲を超えてパラメータを変更したり、意図的なエラー・データ（データ障害）を試験信号に供給したりできる。これらにより、信号を受ける被測定デバイスにストレスを与える試験信号を生成して被測定デバイスの動作限界を求め、被測定デバイス設計の仕様を定めることができ、安定した動作を確実なものにできる。
【００１９】
ユーザ・インターフェイスがカスタム・モードに設定されているとすると、ユーザがＰＬＣＰプリアンブル・ボックス９２、ＰＬＣＰヘッダ・ボックス９４及びＰＳＤＵボックス９６中の「±」ボックス９８、１００及び１０２を個別にクリックすれば、プリアンブル、ヘッダ及びＰＳＤＵのコンポーネント・ボックス１０４、１０６及び１０８の夫々を表示できる。「±」ボックス９８、１００及び１０２に「−」符号が現れているときは、プリアンブル、ヘッダ及びＰＳＤＵに係るコンポーネント・ボックス１０４、１０６及び１０８が表示される。「±」ボックス９８、１００及び１０２に「＋」符号が現れているときは、対応するコンポーネント・ボックス１０４、１０６及び１０８は表示されない。コンポーネントの夫々に対応してプルダウン・メニューやデータ・ボックスがあり、ユーザは値を選択したり入力したりできる。コンポーネント・ボックス１０４、１０６及び１０８の中にも、「±」ボックスのあるものがある。例えば、プリアンブル・コンポーネント・ボックス１０４中のパケット同期シーケンス（Packet Sync Sequence）、ＰＬＣＰヘッダコンポーネント・ボックス１０６中のＰＨＹヘッダ及びＭＡＣヘッダ、ＰＳＤＵコンポーネント・ボックス１０８中のフレーム・ペイロード（Frame Payload）などである。コンポーネント・ボックス中の「±」ボックスをクリックすると、例えば、ＰＨＹヘッダ・コンポーネントに係る「±」ボックスが「−」符号で示されているように、詳細設定項目が表示される。ＰＨＹヘッダの詳細設定項目には、更にプルダウン・メニュー及びデータ・ボックスがあり、ユーザが値を選択したり入力したりできる。「Process This Packet（このパケットを処理）」アイコン１１４は、信号定義ユーザ・インターフェイス８０の下部に設けられ、ＰＰＤＵ中のＰＬＣＰプリアンブル、ＰＬＣＰヘッダ及びＰＳＤＵの夫々の入力されたデータ及びパラメータを処理して１６進コードに変換する。このとき、ＨＣＳ等のチェック用コードが自動的に生成される。もしユーザが、この自動生成による処理よりも、ユーザ・インターフェイスからの意図的な変更を維持したいときは、「Process Preferences（処理のお好み設定）」１１５を用いて自動生成を適用するか否かをオプションで選択できる。
【００２０】
ユーザが現在定義したＰＰＤＵのパラメータ設定を完了すると、ユーザは「PPUDs in Group」エリア８４に係る追加ボタン「Add」１１６をクリックして、新しいＰＰＤＵを「PPUDs in Group」エリア８４に追加し、新しいＰＰＤＵ名を割り当てることができる。それからユーザは、新しいＰＰＤＵにフレーム・ストラクチャ８６を用いてパラメータを設定できる。ユーザは、「PPUDs in Group」エリア８４にＰＰＤＵ１からＰＰＤＵ４までが代表例として示されているように、新しいＰＰＤＵ名を割り当てることで、いくつでもＰＰＤＵのパラメータを定義及び設定できる。
【００２１】
複数のＰＰＤＵは、パケット・グループ・エリア８２を用いて複数のパケット・グループにグループ分けされる。パケット・グループ・エリア８２には、インデックス列、名前列及びリピート列を含む表示ボックスがある。ユーザは、パケット・グループに名前を割り当て、そのパケット・グループを繰り返す回数を設定する。１つのインデックス値が、各パケットに割り当てられる。パケット・グループ・エリア８２に係る追加ボタン「Add」１１８により、ユーザは新しいパケット・グループを追加できる。複数のＰＰＤＵをパケット・グループに結びつける機能、複数のパケット・グループを定義する機能、パケット・グループを複数回繰り返す機能によって、ユーザは被試験デバイスにストレスを与える複雑な試験信号を開発できる。
【００２２】
ユーザがいったん試験信号の定義を完了すれば、ユーザは信号定義ユーザ・インターフェイス８０中の障害付加（Interference Addition）タブ１２０をクリックして、試験信号にゲートされたノイズを加えることができる。障害付加タブ１２０をクリックすれば、図９に示すようなゲート・ノイズ・ユーザ・インターフェイス５０を含む障害付加（Interference Addition）ウィンドウが開く。ユーザは、定義した試験信号の信号パケットの一部又は全体に振幅パワー・ノイズを加え、続いて信号定義ユーザ・インターフェイス８０の上部にあるコンパイル・アイコン１２２をクリックする。信号定義ユーザ・インターフェイス・プログラムは、ゲートされたノイズを含む試験信号のパラメータ及びデータをコンパイルしてデジタル・データ値にし、これを信号生成装置１０のメモリ２２に記憶する。信号生成装置１０の波形生成回路３０は、試験信号を表す記憶されたデジタル・データを受け、信号定義ユーザ・インターフェイス８０及びゲート・ノイズ・ユーザ・インターフェイス５０を用いてユーザが定義したパラメータ及び設定値に基づく信号パターンを生成する。
【００２３】
上述のゲート・ノイズ・ユーザ・インターフェイス５０は、ＷｉＭｅｄｉａウルトラ・ワイド・バンド信号との関係で説明してきたが、本発明は、８０２.１１ｎ、８０２．１５．３ｃ、ＷｉＦｉ、ＷｉＭＡＸ、ＷｉＨＤのような他の信号規格で使用する場合にも利用できる。
【００２４】
上述の本発明は、明確で理解しやすさを目指して記載してきた。しかし、本発明は、これら開示された記載に限定されるものではない。
【図面の簡単な説明】
【００２５】
【図１】図１は、デジタル変調信号を生成し、その信号に障害を加える既存のシミュレーション・ソフトウェア・プログラムのマルチ・キャリア・ブロック・ダイアグラムである。
【図２】図２は、マルチ・キャリア・ブロック・ダイアグラムを用いて呼び出されたデータ・ソース・ダイアグラム・ウィンドウである。
【図３】図３は、変調設定ブロックを強調したマルチ・キャリア・ブロック・ダイアグラムである。
【図４】図４は、マルチ・キャリア・ブロック・ダイアグラムを用いて呼び出された変調設定ダイアログ・ウィンドウである。
【図５】図５は、ノイズ・ブロックを強調したマルチ・キャリア・ブロック・ダイアグラムである。
【図６】図６は、マルチ・キャリア・ブロック・ダイアグラムを用いて呼び出されたノイズ・ダイアログ・ウィンドウである。
【図７】図７は、試験信号中の振幅ノイズ・セグメントを選択するユーザ・インターフェイスを有する本発明による信号生成装置を示す図である。
【図８】図８は、試験信号中の振幅ノイズ・セグメントを選択するユーザ・インターフェイスを有する本発明による信号生成装置の機能ブロック図である。
【図９】図９は、試験信号の選択部分にノイズを適用するための本発明によるユーザ・インターフェイスを表示した図である。
【図１０】図１０は、試験信号の選択部分にノイズを適用する前の試験信号を表示した図である。
【図１１】図１１は、試験信号の選択部分にノイズを適用するためのユーザ・インターフェイスが組み込まれた信号定義ユーザ・インターフェイスを表示した図である。
【図１２】図１２は、試験信号のプリアンブルに振幅ノイズを適用した状態で試験信号を表示した図である。
【図１３】図１３は、試験信号のヘッダに振幅ノイズを適用した状態で試験信号を表示した図である。
【図１】
0005448026.tif 000002
【図２】
0005448026.tif 000003
【図３】
0005448026.tif 000004
【図４】
0005448026.tif 000005
【図５】
0005448026.tif 000006
【図６】
0005448026.tif 000007
【図７】
0005448026.tif 000008
【図８】
0005448026.tif 000009
【図９】
0005448026.tif 000010
【図１０】
0005448026.tif 000011
【図１１】
0005448026.tif 000012
【図１２】
0005448026.tif 000013
【図１３】
0005448026.tif 000014